(57)【要約】【課題】一方の導通部の接触表面に保護層あるいは酸化や劣化などによって通電阻害層が形成されても、常にこれを削除しつつ常に所定スライド位置で確実に接触導通する導通性に極めて秀れたスライド導通機構を実現できるスライド装置を提供すること。【解決手段】第一部材１に対して第二部材２をスライド開放状態としたとき、前記第一部材１に設けた導通部５と前記第二部材２に設けた導通部４とが電気的に導通するスライド導通機構６を設け、相対移動する第一部材１の他方の導通部５の接触押圧部９が可動接触子８に接触して押圧可動させて一方の導通部４に接触することで、この一方の導通部４と前記他方の導通部５とが前記接触押圧部９と前記可動接触子８とを介して導通するように前記スライド導通機構６を構成したスライド装置。【選択図】図３
2010087986.tif 000002
【特許請求の範囲】
【請求項１】
第一部材に重合した第二部材を、ガイド部を介して、重合面方向にスライド自在若しくは重合面方向に回動スライド自在に連結するスライド装置であって、前記第一部材と前記第二部材との間に配設され一端が前記第一部材に連結し他端が前記第二部材に連結して前記第一部材に対して前記第二部材を重合面方向にスライド若しくは回動スライドするに際してこのスライド方向に付勢を生じさせる弾性部を備えたスライド装置において、前記第一部材と前記第二部材とが重合した重合閉塞状態から前記第一部材に対して前記第二部材をスライド若しくは回動スライドさせてスライド開放状態とさせる際、このスライド開放状態となる位置若しくはスライド開放途中位置若しくは重合閉塞状態となる位置で、前記第一部材に設けた導通部と前記第二部材に設けた導通部とが電気的に導通するスライド導通機構を設け、前記第一部材と前記第二部材とに夫々設けた前記導通部の一方の導通部に可動することで接触する可動接触子を可動自在に設け、他方の導通部に前記スライド若しくは回動スライドにより前記可動接触子に接触して押圧しこの可動接触子を可動させて前記一方の導通部に接触させる接触押圧部を設け、この接触押圧部が前記可動接触子に接触して押圧可動させて前記一方の導通部に接触することで、この一方の導通部と前記他方の導通部とが前記接触押圧部と前記可動接触子とを介して導通するように前記スライド導通機構を構成したことを特徴とするスライド装置。
【請求項２】
前記可動接触子は、板状の可動接触子とし、その接触先端縁を先鋭とし、この接触先端縁は、前記一方の導通部に対して浮上離反していた状態から前記接触押圧部が接触して押圧することで変形若しくは回動して可動してこの一方の導通部に接触するように前記スライド導通機構を構成したことを特徴とする請求項１記載のスライド装置。
【請求項３】
前記一方の導通部は、通電材料で形成しこの表面を通電面とし、この通電面の表面に保護層若しくは酸化などによる通電阻害層が形成されても前記可動接触子の接触先端縁による接触により前記保護層若しくは前記通電阻害層が常に削除されて前記可動接触子と前記一方の導通部とが接触されるように構成したことを特徴とする請求項１，２のいずれか１項に記載のスライド装置。
【請求項４】
前記一方の導通部は、マグネシウム若しくはマグネシウム合金で形成したマグネシウム板材で成形し、この表面を通電面とし、この通電面に前記接触押圧部の接触押圧により可動する前記可動接触子を接触させて導通するように構成したことを特徴とする請求項３記載のスライド装置。
【請求項５】
前記マグネシウム板材の表面には化成処理が施されて保護層が形成され、この保護層若しくはこの保護層を除去してもなお生じる酸化層などの通電阻害層を常に前記可動接触子の先鋭の接触先端縁の可動接触により除去しつつ接触導通するように構成したことを特徴とする請求項４記載のスライド装置。
【請求項６】
前記一方の導通部は、前記ガイド部として設けられ互いにスライド自在に係合する金属板状のスライドガイド部と金属板状のスライド部のいずれか一方とし、この一部表面を接触表面とし、前記他方の導通部は、前記ガイド部のいずれか他方とし、この他方の導通部として設けたスライドガイド部若しくはスライド部に前記接触押圧部を突設し、前記一方の導通部として設けたスライド部若しくはスライドガイド部の接触表面に前記可動接触子を浮上状態に設けたことを特徴とする請求項１〜５のいずれか１項に記載のスライド装置。
【請求項７】
前記接触押圧部は、前記弾性部の一端を連結する連結部とした若しくはこの連結部に接触部を付設して、この連結部に前記接触押圧部を設けた構成としたことを特徴とする請求項１〜６のいずれか１項に記載のスライド装置。
【請求項８】
本体部と重合部とを重合配設し、この重合部を相対的に重合面方向にすれ違うようにスライド若しくは回動スライドして重合面の一部を露出させることができるように前記本体部と前記重合部とをスライド装置により連結し、このスライド装置には、前記本体部を前記第一部材若しくは前記第二部材とし、前記重合部を前記第二部材若しくは前記第一部材とした前記請求項１〜７のいずれか１項に記載のスライド装置を用いたことを特徴とするスライド装置を用いた電子機器。
【発明の詳細な説明】
【技術分野】
【０００１】
本発明は、スライド装置並びにスライド装置を用いた携帯電話，モバイル，小型パソコンなどの電子機器に関するものである。
【背景技術】
【０００２】
例えば、数字キーやファンクションキーを配列した操作部を本体部の上側面に設け、所定の表示がなされる液晶パネルなどのディスプレイ部を、前記本体部に重合する重合部の上側面に設け、この本体部と重合部とを前後方向に相対的にスライドする構造のスライド式や重合面方向に回動スライドする回動スライド式やこれを組み合わせスライド開放後９０度回動スライドしてＴ字状に回動切り換えして使用することもできる携帯電話などが従来からある。
【０００３】
例えばこのスライド式は、本体部ガイド部としてのスライドガイド部を直接若しくは間接的に（本体部に設ける部材をも含む意味である）設け、このスライドガイド部にスライド係合するスライド部を重合部に直接若しくは間接的に設け、スライドガイド部に対してスライド部が相対的にスライドすることで、本体部に対して重合部をスライド自在に連結する構成としている。
【０００４】
このようなスライド式の携帯電話のスライド構造を実現するスライド装置は、前述のように左右に設けたスライドガイド部間にスライド部をその両端部をスライド自在に係合させて、本体部に対して重合部をスライド自在に連結する構成である。
【０００５】
回動スライド式の場合は、例えば支点部を回動支点として回動する際にガイド部となる弧状のガイド溝などのスライドガイド部を本体部に設け、重合部にはこのスライドガイド部に回動スライド自在に係合するスライド部を設け、回動支点部で枢着すると共にスライドガイド部にガイド部を回動スライド自在に係合して本体部に対して重合部を回動スライド自在に連結する構成である。
【０００６】
ところで、このように本体部（第一部材）と重合部（第二部材）とをスライド自在にあるいは回動スライド自在に連結するスライド装置を用いたスライド式や回動スライド式の携帯電話は、本体部の操作部を重合部で隠蔽した重合閉塞状態となる位置（重合閉塞位置）と、重合部を位置ズレするように前後方向や回動方向へ移動させて操作部を露出させたスライド開放状態となる位置（スライド開放位置）とで位置決め保持（閉じ付勢や開き付勢あるいはクリック係合）するように構成することが望ましい。
【０００７】
そこで、このような要望に応えるべく、弾性部の一端を本体部（第一部材）に対して直接あるいは間接的に連結し他端を重合部（第二部材）に直接あるいは間接的に連結し、この弾性部の弾圧付勢によって本体部と重合部との間に戻り付勢（閉じ付勢）や進み付勢（開き付勢）が生ずるように構成したスライド装置がある。
【０００８】
即ち例えば、線材の両端部間の途中部にてこの線材をコイル状に若しくは渦巻き状に巻回しこの巻回部を頂部にして全体視へ字状に形成したトーションバネを弾性部とし、このトーションバネの一端を本体部（第一部材）に連結し、他端を重合部（第二部材）に連結し、このトーションバネの両端の連結部が互いに離れようとするバネ付勢（拡角付勢）により本体部に対して重合部をスライドあるいは回動スライドするに際してこのスライド方向に付勢が生ずるように構成したものがある。
【０００９】
この従来装置によれば、弾性部の拡角付勢から生ずるスライド方向の付勢を利用することで、例えばスライド式の携帯電話の本体部に対して重合部をスライドさせる場合に所定スライド移動位置までは閉じ付勢が生じるようにしてこの重合部を重合閉塞位置に位置決め保持し、また本体部に対して重合部を所定スライド移動位置以上移動させると今度は逆に開き付勢が生じるようにしてこの重合部をスライド開放位置に位置決め保持するといった位置決め保持機能を実現できる。
【００１０】
【特許文献１】特開２００５−２９１３１５号公報
【発明の開示】
【発明が解決しようとする課題】
【００１１】
この種のスライド装置において、スライド位置によって第一部材（本体部）と第二部材（重合部）とを電気的に導通させるスライド導通機構を採用することが提案されている。
【００１２】
例えば、第一部材（本体部）に対して第二部材（重合部）をスライドさせてスライド開放位置とすると導通して、例えば重合部に設けたディスプレイ部が点灯したり、本体部の露出部の操作部が点灯したり、あるいはスライド開放位置で例えば通話回路やその他の所定の回路がＯＮ動作を開始したり、様々な動作設計が可能となる。
【００１３】
このように、例えばスライド開放位置で、例えば第一部材の電源や制御回路と第二部材の動作回路とを電気的に導通させたり、あるいは所定スライド位置やこれを超えると導通したり、逆に重合閉塞状態で導通させたりするスライド導通機構が提案されている。
【００１４】
この際、所定位置で互いに電気的に接続される一方の導通部はマグネシウム板材などの軽量で通電性が良くまた製作容易な金属板面を有する構成とし、他方の導通部には所定の相対スライド位置でこれと直接あるいは間接的に接触して導通する接触部を突設する構成とすることで、簡易な構成で所定スライド位置で常に確実に接触導通する構成となる。
【００１５】
本発明は、このようなスライド導通機構を設ける場合に、簡易な構成で所定スライド位置で常に確実に接触導通して第一部材と第二部材とが電気的に接続され、且つたとえば一方の導通部の接触表面に対して他方の導通部が常に押圧接触あるいは押し付けスライド接触など可動接触して導通し、例えばこの一方の導通部の接触表面に保護層あるいは酸化や劣化などによって通電阻害層が形成されても、常にこれを削除しつつ常に所定スライド位置で確実に接触導通する通電性に極めて秀れたスライド導通機構を実現し極めて秀れたスライド装置並びにスライド装置を用いた電子機器を提供することを目的としている。
【課題を解決するための手段】
【００１６】
添付図面を参照して本発明の要旨を説明する。
【００１７】
第一部材１に重合した第二部材２を、ガイド部７を介して、重合面方向にスライド自在若しくは重合面方向に回動スライド自在に連結するスライド装置であって、前記第一部材１と前記第二部材２との間に配設され一端が前記第一部材１に連結し他端が前記第二部材２に連結して前記第一部材１に対して前記第二部材２を重合面方向にスライド若しくは回動スライドするに際してこのスライド方向に付勢を生じさせる弾性部３を備えたスライド装置において、前記第一部材１と前記第二部材２とが重合した重合閉塞状態から前記第一部材１に対して前記第二部材２をスライド若しくは回動スライドさせてスライド開放状態とさせる際、このスライド開放状態となる位置若しくはスライド開放途中位置若しくは重合閉塞状態となる位置で、前記第一部材１に設けた導通部と前記第二部材２に設けた導通部とが電気的に導通するスライド導通機構６を設け、前記第一部材１と前記第二部材２とに夫々設けた前記導通部４，５の一方の導通部４に可動することで接触する可動接触子８を可動自在に設け、他方の導通部５に前記スライド若しくは回動スライドにより前記可動接触子８に接触して押圧しこの可動接触子８を可動させて前記一方の導通部４に接触させる接触押圧部９を設け、この接触押圧部９が前記可動接触子８に接触して押圧可動させて前記一方の導通部４に接触することで、この一方の導通部４と前記他方の導通部５とが前記接触押圧部９と前記可動接触子８とを介して導通するように前記スライド導通機構６を構成したことを特徴とするスライド装置に係るものである。
【００１８】
また、前記可動接触子８は、板状の可動接触子８とし、その接触先端縁10を先鋭とし、この接触先端縁10は、前記一方の導通部４に対して浮上離反していた状態から前記接触押圧部９が接触して押圧することで変形若しくは回動して可動してこの一方の導通部４に接触するように前記スライド導通機構６を構成したことを特徴とする請求項１記載のスライド装置に係るものである。
【００１９】
また、前記一方の導通部４は、通電材料で形成しこの表面を通電面とし、この通電面の表面に保護層若しくは酸化などによる通電阻害層が形成されても前記可動接触子８の接触先端縁10による接触により前記保護層若しくは前記通電阻害層が常に削除されて前記可動接触子８と前記一方の導通部４とが接触されるように構成したことを特徴とする請求項１，２のいずれか１項に記載のスライド装置に係るものである。
【００２０】
また、前記一方の導通部４は、マグネシウム若しくはマグネシウム合金で形成したマグネシウム板材で成形し、この表面を通電面とし、この通電面に前記接触押圧部９の接触押圧により可動する前記可動接触子８を接触させて導通するように構成したことを特徴とする請求項３記載のスライド装置に係るものである。
【００２１】
また、前記マグネシウム板材の表面には化成処理が施されて保護層が形成され、この保護層若しくはこの保護層を除去してもなお生じる酸化層などの通電阻害層を常に前記可動接触子８の先鋭の接触先端縁10の可動接触により除去しつつ接触導通するように構成したことを特徴とする請求項４記載のスライド装置に係るものである。
【００２２】
また、前記一方の導通部４は、前記ガイド部７として設けられ互いにスライド自在に係合する金属板状のスライドガイド部７Ａと金属板状のスライド部７Ｂのいずれか一方とし、この一部表面を接触表面とし、前記他方の導通部５は、前記ガイド部７のいずれか他方とし、この他方の導通部５として設けたスライドガイド部７Ａ若しくはスライド部７Ｂに前記接触押圧部９を突設し、前記一方の導通部５として設けたスライド部７Ｂ若しくはスライドガイド部７Ａの接触表面に前記可動接触子８を浮上状態に設けたことを特徴とする請求項１〜５のいずれか１項に記載のスライド装置に係るものである。
【００２３】
また、前記接触押圧部９は、前記弾性部３の一端を連結する連結部11とした若しくはこの連結部11に接触部を付設して、この連結部11に前記接触押圧部９を設けた構成としたことを特徴とする請求項１〜６のいずれか１項に記載のスライド装置に係るものである。
【００２４】
また、本体部と重合部とを重合配設し、この重合部を相対的に重合面方向にすれ違うようにスライド若しくは回動スライドして重合面の一部を露出させることができるように前記本体部と前記重合部とをスライド装置により連結し、このスライド装置には、前記本体部を前記第一部材１若しくは前記第二部材２とし、前記重合部を前記第二部材２若しくは前記第一部材１とした前記請求項１〜７のいずれか１項に記載のスライド装置を用いたことを特徴とするスライド装置を用いた電子機器に係るものである。
【発明の効果】
【００２５】
本発明は上述のように構成したから、簡易な構成で所定スライド位置で常に確実に接触導通して第一部材と第二部材とが電気的に接続され、且つ一方の導通部の接触表面に対して他方の導通部が常に押圧接触あるいは押し付けスライド接触など可動接触して導通し、例えばこの一方の導通部の接触表面に保護層あるいは酸化や劣化などによって通電阻害層が形成されても、常にこれを削除しつつ常に所定スライド位置で確実に接触導通する導通性に極めて秀れたスライド導通機構を実現できる極めて秀れたスライド装置並びにスライド装置を用いた電子機器となる。
【００２６】
また、請求項２記載の発明においては、前記作用・効果が一層確実に発揮されるスライド装置となる。
【００２７】
また、請求項３，４，５記載の発明において、更に一層簡易な構成で前記作用・効果を確実に発揮する本発明を容易に実現できる。
【００２８】
また、特に請求項４，５記載の発明においては、軽量でロスも少なくスライド構造に支障なく構成できると共に、化成処理が施されていてこれの削除が不十分でもまた酸化等によって通電阻害層が形成され易い接触表面であっても、常に確実にこれを削除しつつ接触導通し、極めて画期的なスライド装置となる。
【００２９】
また、請求項６，７記載の発明においては、スライド構造のスライドガイド部やスライド部や弾性部の連結部を利用するため一層簡易な構成で容易に実現でき極めて実用性に秀れたスライド装置となる。
【発明を実施するための最良の形態】
【００３０】
好適と考える本発明の実施形態（発明をどのように実施するか）を、図面に基づいて本発明の作用を示して簡単に説明する。
【００３１】
第一部材１に対して第二部材２をスライド若しくは回動スライドすると、予め設定した位置、例えば弾性部３による戻り付勢に抗してスライドさせ、途中からはこの弾性部３による進み付勢によってスライド開放状態となると、例えばこのスライド開放位置でスライド導通機構６によって、第一部材１に設けた導通部５と第二部材２に設けた導通部４とが導通し電気的に接続される。
【００３２】
即ち、例えば第一部材１若しくは第二部材２に設けた一方の導通部４に浮上状態にして可動自在に設けた可動接触子８を、他方の導通部５に設けた接触押圧部９が相対スライドによって接触押圧し、これにより可動接触子８が可動して可動接触子８が前記一方の導通部４に押圧接触することで、この所定スライド位置、即ち例えばスライド開放位置で、可動接触子８と接触押圧部９を介して第一部材１の導通部５と、第二部材２の導通部４とが導通し電気的に接続される。
【００３３】
従って、第一部材１に対する第二部材２のスライド若しくは回動スライドによって相対スライドする接触押圧部９によって可動接触子８を可動させて、浮上していた可動接触子８を接触表面に押し付け接触させることで導通させるために、簡易な構成でありながら常に所定スライド位置で常に確実に接触させて導通させるスライド導通機構６を容易に実現できることとなる。
【００３４】
例えば、この可動接触子８の接触先端縁10を先鋭とすることで、常に確実に導通部４の接触表面に接触することができ、また、この導通部４の接触表面にたとえ保護層が形成されていて、この削除が不十分であっても、また、たとえ予め十分に保護層が削除されている接触表面であっても、酸化やその他の劣化によって酸化層などの通電阻止層が形成されたとしても、常に可動接触子８は接触押圧部９に押圧されて可動し、接触先端縁10が確実に接触する（例えば、へ字状の折り曲げ片や切り起こし片で構成した可動接触子８の先端板縁の先鋭な接触先端縁10が、その上側が接触押圧部９で押圧されることで導通部４の接触表面に接触先端縁10が弾圧接触する）ように構成すれば、常にこれらの層を接触先端縁10で削除しつつ押し付け接触することで常に確実に導通させることができる。
【００３５】
また、この導通部４をマグネシウムで形成する（例えばマグネシウム板材で形成する）ことで、一層通電性が良好となり軽量化なども図れるが、マグネシウムは表面は例えば表面保護のため、化成処理する必要があるから、この可動接触子８の接触部分（接触表面）の化成処理を予め削除するが、この削除が不十分であったり、またたとえ予め削除していなくても、またマグネシウムは酸化等の通電阻止層が形成し易いが、これが形成されたとしても、前述のようにこれを常に接触先端縁10で削除しつつ接触することとなる。
【００３６】
また、一方の導通部４はスライド部７Ｂ若しくはスライドガイド部７Ａを利用し、他方の導通部５は例えばスライド部７Ａ若しくはスライド部７Ｂとこれに設ける弾性部３の連結部11を利用し、これに自体を接触押圧部９とするかこれに部材を設けて接触押圧部９とすることで、一層容易な構成で本発明を容易に実現できることとなり、極めて実用性に秀れたスライド装置並びにスライド装置を用いた電子機器となる。
【実施例】
【００３７】
本発明の具体的な実施例について図面に基づいて説明する。
【００３８】
本実施例は、第一部材１（本体部１）の上面先端側に設けたガイド部７としてのスライドガイド部７Ａ（金属板状のスライドガイド部材７Ａ）に、第二部材２（重合部２）の裏面に設けたガイド部７としてのスライド部７Ｂ（金属板状のスライド部材７Ｂ）をスライド自在に係合して、第一部材１と第二部材２とを重合面方向にスライド自在に重合連結し、一端をスライドガイド部材７Ａを介して第一部材１に連結し他端を前記スライド部材７Ｂを介して第二部材２に連結する弾性部３を備え、この弾性部３の屈曲弾性による付勢によって前記第一部材１と第二部材２との間にスライド方向の付勢、即ち戻り付勢（閉じ付勢）や進み付勢（開き付勢）が生ずるように構成したスライド装置であり、前記弾性部３は、線材の途中を巻回して左右に連結端を有し途中に巻回部を有する扁平状で全体視へ字状の屈曲自在なバネで構成し、この左右の連結端が互いに離れようとする拡角付勢が生じるように連結端の一端を前記第一部材１のスライドガイド部７Ａに設けた連結部11に連結し他端を前記第二部材２のスライド部７Ｂに設けた連結部11に連結している。
【００３９】
以下、本実施例を具体的に説明する。
【００４０】
本実施例は、本体部１と重合部２とを重合配設し、この重合した状態から前記重合部２を相対的に重合面方向にすれ違うようにスライドして重合面の一部を露出させることができるように前記本体部１と前記重合部２とをスライド装置により連結した電子機器に本発明を適用したものであり、具体的には、スライド式携帯電話に本発明を適用し、数字キーやファンクションキーを配列した操作部を上面側に設けた本体部１を第一部材１とし、これにスライド自在に重合して前記操作部を隠蔽・露出自在に開閉する重合部２を第二部材２とし、この第二部材２には所定の表示がなされる液晶パネルなどのディスプレイ部を上側面に設け、この第一部材１と第二部材２とを相対スライド自在に連結するスライド装置としている。
【００４１】
そして、本実施例では、この第一部材１（本体部１）に重合した第二部材２（重合部２）を、ガイド部７を介して、重合面方向にスライド自在に連結するスライド装置としている（若しくは図示していないが例えばこのスライド式に加えて更に重合面方向に回動スライド自在に連結するスライド装置としても良い）。
【００４２】
本実施例では、第一部材１の先端側上面に付設するスライドガイド部７Ａ（金属板状のスライドガイド部材７Ａ）の両辺部に設けたガイドレール部に、第二部材２（重合部２）の裏面に設けたスライド部７Ｂ（金属板状のスライド部材７Ｂ）の両縁部を係合させてスライド自在に係合し、このスライドガイド部材７Ａとスライド部材７Ｂとの間に前記弾性部３を配設し、両端の連結端をこのスライドガイド部材７Ａとスライド部材７Ｂとに夫々連結して第一部材１と第二部材２とを連結している。この弾性部３は前述のように線材の途中を巻回して左右に連結端を有し途中に巻回部を有する扁平状で全体視へ字状の屈曲自在なバネで構成し、この左右の連結端が互いに離れようとする拡角付勢が生じるように連結端の一端を前記スライドガイド部材７Ａを介して第一部材１に連結し他端を前記スライド部材７Ｂを介して第二部材２に連結した構成としている。
【００４３】
また、前記第一部材１に対して前記第二部材２を所定長スライドさせるまでは、前記全体視へ字状の弾性部３によるスライド方向への拡角付勢によって、前記第二部材２が戻り動する戻り付勢が生じ、所定長スライドさせると逆に第二部材２が進み動する進み付勢が生じるように構成している。
【００４４】
即ち、この第一部材１に対して第二部材２が覆い閉塞した重合閉塞状態から、第一部材１に対して第二部材２をスライドすることで、第一部材１の重合面が露出するスライド開放状態となるように構成し、前記弾性部３の前記左右の連結端を互いに接近する方向に押圧してこの連結端の一端を前記第一部材１に連結し、他端を前記第二部材に連結して、この弾性部３に前記連結端が互いに離れようとする拡角付勢が生じるように構成し、この左右の連結端に生じる拡角付勢力がスライド移動力として働かないスライド位置を境として、第一部材１に対して第二部材２をこのスライド位置までスライドさせる間は、この拡角付勢によって第二部材２に閉じ付勢が生じ、このスライド位置を超えた位置までスライドさせることこの拡角付勢によって第二部材２に開き付勢が生じるように構成している。
【００４５】
また図示していないが、本発明を回動スライド式のスライド装置に適用しても良い。
【００４６】
以下、更に本発明の実施例について図面に基づいて説明する。
【００４７】
本実施例では、重合閉塞状態から前記第一部材１に対して前記第二部材２をスライド若しくは回動スライドさせてスライド開放状態とさせる際、このスライド開放状態となる位置若しくはスライド開放途中位置若しくは重合閉塞状態となる位置で、第一部材１に設けた導通部５と第二部材２に設けた導通部４とが電気的に導通して所定の回路をＯＮ作動させるスライド導通機構６を設けるが、前述のように本実施例ではガイド部７として設けた互いにスライド係合するスライドガイド部材７Ａとスライド部７Ｂとを夫々導通部５，４とし、これが本実施例ではスライド開放位置で可動接触子８と接触押圧部９を介して接触して導通する構成としている。
【００４８】
即ち、本実施例では第二部材２に設ける金属板状のスライド部材７Ｂを一方の導通部４とし、この一方の導通部４として設けたスライド部材７Ｂの対向内側の接触表面に、可動することで接触する可動接触子８を可動自在に設けている。具体的にこの金属製のスライド部材７Ｂの接触表面となる箇所に浮上状態に可動接触子８を可動自在に設けている。
【００４９】
また、本実施例では第一部材１に設ける金属板状のスライドガイド部材７Ａを他方の導通部５とし、この他方の導通部５として設けたスライドガイド部材７Ａに突設した前記弾性部３の一端と連結する連結部11に、前記スライドにより相対スライドして前記可動接触子８に接触して押圧しこの可動接触子８を可動させて前記一方の導通部４の接触表面に押し付け接触させる接触押圧部９を設け、この接触押圧部９が前記可動接触子８に接触して押圧可動させて前記一方の導通部４の接触表面に押し付け接触することで、この一方の導通部４と前記他方の導通部５とが前記接触押圧部９と前記可動接触子８とを介して導通するように前記スライド導通機構６を構成している。
【００５０】
本実施例のこの可動接触子８は、板状の可動接触子８とし、その接触先端縁10を板縁として先鋭とし、この接触先端縁10は、前記一方の導通部４の接触表面に対して浮上離反していた状態から前記接触押圧部９が相対スライドによって押圧することで弾性変形若しくは弾性伏し回動して可動してこの一方の導通部４の接触表面に押し付け接触するように前記スライド導通機構６を構成している。
【００５１】
具体的には、この板状の可動接触子８は、基端を固定し先端を浮上させたへ字状の屈曲板で形成し、例えばこの屈曲板の基端部を単に固定したり、本実施例のように固定した板材から屈曲板を切り起こし形成しても良い。いずれにしても可動接触子８は基端部をスライド部材７Ｂの接触表面近くに固定し、反対側の板縁の接触先端縁10を接触表面の上方に浮上状態となるようにし、この可動接触子８のへ字状の上部を傾斜辺を基端側から相対スライドする前記接触押圧部９により除々に押圧することで可動接触子８が除々に下方へつぶれ変形し、可動接触子８の接触先端縁10が下方へ除々に押されて接触先端縁10が導通部４の接触表面（スライド部材７Ｂの接触表面）にすべるように押し付け接触する。即ち可動接触子８が弾性変形して接触先端縁10が接触表面に単に当接するのでなく接触表面をこの接触先端縁10で表面をずり動して削るように弾圧接触する構成としている。
【００５２】
また本実施例では、前記一方の導通部４は、通電材料（マグネシウム板）で形成しこの表面を通電面とし、この通電面（接触表面）に、保護層若しくは酸化などによる通電阻害層が形成されても前述のように前記可動接触子８の接触先端縁10による接触により前記保護層若しくは前記通電阻害層が常に削除されて押し付け接触されるように構成している。
【００５３】
更に説明すると、前記一方の導通部４は、マグネシウム（若しくはマグネシウム合金）で形成したマグネシウム板材で形成した前記スライド部材７Ｂとし、この表面を通電面とし、この通電面に前記接触押圧部９の接触押圧により可動する前記可動接触子８を接触させて導通するように構成する。このマグネシウム板材は軽量で通電性が良く、スライド導通機構６を構成するのに非常に実用的であるが、酸化し易く耐久性を良好とするため、表面には化成処理が施されて保護層が形成されている。可動接触子８を可動接触する接触表面となる表面の一部は予めこの保護層を除去するものの、これが不十分だったり、なお生じる酸化層などの通電阻害層により導通（接触）不良が生じてしまうおそれが大きい。特にこのようにマグネシウムで導通部４となる板材（スライド部材７Ｂ）を形成するとこのおそれが高いが、本実施例では前述のように、常に前記可動接触子８の板縁とすることで先鋭とした接触先端縁10の可動接触により、たとえ通電阻害層が形成されて常にこの接触先端縁10が表面方向にずり動して除去しつつ接触導通するように構成している。
【００５４】
また、このように本実施例では第二部材２に設ける一方の導通部４は、前記ガイド部７の一方として設けたスライド部材７Ｂとし、この内側に可動接触子８を設けるが、他方の導通部５は前記ガイド部７の他方として設けた金属製のスライドガイド部材７Ａとし、このスライドガイド部材７Ａに設けた連結部11を突設して前記接触押圧部９を突設している。即ち、前記弾性部３の一端を第一部材１に固定するためにこの第一部材１に設けるスライドガイド部材７Ａにネジ止める連結部11を利用し、この連結部11に弾性部３の一端を止めると共に、このスライドガイド部材７Ａから突出する連結部11を接触押圧部９とした構成としている。
【００５５】
尚、本発明は、本実施例に限られるものではなく、各構成要件の具体的構成は適宜設計し得るものである。
【図面の簡単な説明】
【００５６】
【図１】本実施例のスライド開放状態の説明斜視図である。
【図２】本実施例の説明分解斜視図である。
【図３】本実施例の上下を反転した説明分解斜視図である。
【図４】本実施例の重合閉塞状態とスライド途中とスライド開放状態とを示す作動説明斜視図である。
【図５】本実施例の重合閉塞状態の説明側断面図である。
【図６】本実施例のスライド開放状態の説明側断面図である。
【図７】本実施例の要部の拡大説明斜視図である。
【図８】本実施例の要部の拡大説明側断面図である。
【図９】本実施例の要部の可動接触子の接触先端縁による削取接触を示す拡大説明断面図である。
【符号の説明】
【００５７】
１  第一部材
２  第二部材
３  弾性部
４  導通部
５  導通部
６  スライド導通機構
７  ガイド部
７Ａ  スライドガイド部（スライドガイド部材）
７Ｂ  スライド部（スライド部材）
８  可動接触子
９  接触押圧部
10  接触先端縁
11  連結部
【図１】
2010087986.tif 000003
【図２】
2010087986.tif 000004
【図３】
2010087986.tif 000005
【図４】
2010087986.tif 000006
【図５】
2010087986.tif 000007
【図６】
2010087986.tif 000008
【図７】
2010087986.tif 000009
【図８】
2010087986.tif 000010
【図９】
2010087986.tif 000011